【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】
縦長のガイドレール（１２ａ−１２ｅ）と、ガイドレール（１２ａ−１２ｅ）の縦方向（Ｌ）においてガイドレール上を走行可能な走行台（１４ａ）とを備えたリニアガイド装置（１０ａ−１０ｅ）であって、
ガイドレール（１２ａ−１２ｅ）の走行台（１４ａ）側の表面がカバーバンド（２４ａ−２４ｅ）により覆われており、
ガイドレール（１２ａ−１２ｅ）の両縦方向端部（３０ａ）の領域にそれぞれバンド固定ユニット（３２ａ−３２ｅ）が配置され、
両バンド固定ユニット（３２ａ−３２ｅ）がともにカバーバンド（２４ａ−２４ｅ）を少なくともガイドレール（１２ａ−１２ｅ）の縦方向（Ｌ）における変位に関してガイドレール（１２ａ−１２ｅ）に固定している、前記リニアガイド装置において、
各バンド固定ユニット（３２ａ−３２ｅ）が、それぞれ他のバンド固定ユニット（３２ａ−３２ｅ）のほうへ方向づけられる、ガイドレール（１２ａ−１２ｅ）に対するカバーバンド（２４ａ−２４ｅ）の運動を、少なくとも困難にさせていることを特徴とするリニアガイド装置。
【請求項２】
バンド固定ユニット（３２ａ−３２ｅ）がガイドレール（１２ａ−１２ｅ）に摩擦で保持されていることを特徴とする、請求項１に記載のリニアガイド装置。
【請求項３】
バンド固定ユニット（３２ａ−３２ｅ）が、有利にはガイドレール（１２ａ−１２ｅ）の側部に係合する、少なくとも１つの締め付け突出部（４６ａ−４６ｅ）を有していることを特徴とする、請求項２に記載のリニアガイド装置。
【請求項４】
バンド固定ユニット（３２ａ,３２ｃ−３２ｅ）が、少なくともそれぞれ他方のバンド固定ユニット（３２ａ,３２ｃ−３２ｅ）のほうへ方向づけられる運動に関し、ガイドレール（１２ａ,１２ｃ−１２ｅ）で保持されていることを特徴とする、請求項１から３までのいずれか一つに記載のリニアガイド装置。
【請求項５】
バンド固定ユニット（３２ａ,３２ｃ−３２ｅ）が、ガイドレール（１２ａ,１２ｄ,１２ｅ）の縦方向（Ｌ）に対しほぼ直交する方向に延びるフランジ（３８ａ,３８ｄ,３８ｅ）を有し、フランジが、リニアガイド装置（１０ａ,１０ｃ−１０ｅ）の組み立て状態で、ガイドレール（１２ａ,１２ｃ−１２ｅ）の端面（４０ａ,４０ｄ）に接していることを特徴とする、請求項４に記載のリニアガイド装置。
【請求項６】
バンド固定ユニット（３２ａ−３２ｅ）が少なくとも部分的にプラスチックまたは金属の噴射成形部材として製造されていることを特徴とする、請求項１から５までのいずれか一つに記載のリニアガイド装置。
【請求項７】
縦長のガイドレール（１２ｆ−１２ｑ）と、ガイドレール（１２ｆ−１２ｑ）の縦方向（Ｌ）においてガイドレール上を走行可能な走行台（１４ｆ）とを備えたリニアガイド装置（１０ｆ−１０ｑ）であって、
ガイドレール（１２ｆ−１２ｑ）の走行台（１４ｆ）側の表面がカバーバンド（２４ｆ−２４ｑ）により覆われており、
ガイドレール（１２ｆ−１２ｑ）の両縦方向端部の少なくとも一方の領域にバンド固定ユニット（３２ｆ−３２ｑ）が配置されている、前記リニアガイド装置において、
バンド固定ユニット（３２ｆ−３２ｑ）がカバーバンド（２４ｆ−２４ｑ）とガイドレール（１２ｆ−１２ｑ）とに摩擦で係合していることを特徴とするリニアガイド装置。
【請求項８】
バンド固定ユニットが締め付け湾曲体ユニット（３２ｆ−３２ｑ）として構成されていることを特徴とする、請求項７に記載のリニアガイド装置。
【請求項９】
締め付け湾曲体ユニット（３２ｆ−３２ｑ）が２つの自由端（８４ｆ−８４ｉ，８２ｋ−８２ｍ，８４ｎ−８４ｑ，８６ｆ−８６ｏ，８２ｐ,８６ｑ）を有し、これら自由端がガイドレール（１２ｆ−１２ｑ）の側部に係合し、有利にはガイドレール（１２ｆ−１２ｑ）の縦溝（４８ｆ−４８ｑ）に係合していることを特徴とする、請求項８に記載のリニアガイド装置。
【請求項１０】
締め付け湾曲体ユニット（３２ｆ−３２ｏ,３２ｑ）が、前記２つの自由端の間に配置されている部分（８８ｆ−８８ｈ）（中央部分）においてカバーバンド（２４ｆ−３４ｏ,２４ｑ）をガイドレール（１２ｆ−１２ｏ,１２ｑ）に対して押圧させていることを特徴とする、請求項８または９に記載のリニアガイド装置。
【請求項１１】
締め付け湾曲体ユニット（３２ｆ−３２ｑ）が一体または多体に構成された締め付け湾曲体（８０ｆ−８０ｑ）を有し、締め付け湾曲体（８０ｆ−８０ｑ）が有利には弾性材から製造されていることを特徴とする、請求項８から１０までのいずれか一つに記載のリニアガイド装置。
【請求項１２】
締め付け湾曲体（８０ｆ,８０ｋ−８０ｍ,８０ｑ）または少なくとも１つの締め付け湾曲体部分（８０ｇ−８０ｉ）が、締め付け湾曲体ユニット（３２ｆ−３２ｍ,３２ｑ）の中央部分の領域に、有利には条溝の形状に構成された膨出部（９０ｆ−９−ｍ,９０ｑ）を備えていることを特徴とする、請求項１１に記載のリニアガイド装置。
【請求項１３】
締め付け湾曲体ユニット（３２ｆ−３２ｑ）が、該締め付け湾曲体ユニットのカバーバンド（２４ｆ−２４ｑ）に対する押圧力を調整可能にする締め付け装置（８２ｆ−８２ｍ,１２２ｎ,１２８ｏ,８２ｐ）を有していることを特徴とする、請求項８から１２までのいずれか一つに記載のリニアガイド装置。
【請求項１４】
締め付け湾曲体（８０ｒ）が、該締め付け湾曲体とは別個に形成され且つ有利には締め付け湾曲体と結合される弾性要素（１４２ｒ）を有し、弾性要素（１４２ｒ）がカバーバンド（２４ｒ）をガイドレール（１２ｒ）に対し押圧させていることを特徴とする、請求項１１に記載のリニアガイド装置。
【請求項１５】
弾性要素（１４２ｒ）が湾曲ばねとして構成され、湾曲ばねが、その中央部分（１４４ｒ）において締め付け湾曲体（８０ｒ）と結合され、その両自由端によってカバーバンド（２４ｒ）をガイドレール（１２ｒ）に対し押圧させていることを特徴とする、請求項１４に記載のリニアガイド装置。
【請求項１６】
締め付け装置が、２つの締め付け湾曲体部分（１５０ｓ,１５２ｓ）の間の横方向間隔を変更するための装置（１５４ｓ／１５６ｓ）を有し、２つの締め付け湾曲体部分（１５０ｓ,１５２ｓ）のそれぞれが締め付け湾曲体ユニット（３２ｓ）の自由端（８４ｓ,８６ｓ）のそれぞれ１つを有していることを特徴とする、請求項１３に記載のリニアガイド装置。
【請求項１７】
両締め付け湾曲体部分（１５０ｓ,１５２ｓ）がほぼ同一に構成されていることを特徴とする、請求項１６に記載のリニアガイド装置。
【請求項１８】
両締め付け湾曲体部分（１５０ｓ,１５２ｓ）の少なくとも一方が、カバーバンド（２４ｓ）の中央部分の領域に、カバーバンド（２４ｓ）に接するそれぞれ１つの隆起部（１６０ｓ）および（または）条溝を有していることを特徴とする、請求項１６または１７に記載のリニアガイド装置。
【請求項１９】
両締め付け湾曲体部分（１５０ｓ,１５２ｓ）の少なくとも一方の、ガイドレール（１２ｓ）と係合している自由端（８４ｓ,８６ｓ）の形状が、ガイドレール（１２ｓ）の表面プロフィールに適合するよう構成されていることを特徴とする、請求項１６から１８までのいずれか一つに記載のリニアガイド装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
バンド固定ユニットは、製造を簡単にするため、少なくとも部分的にプラスチックまたは金属の噴射成形部材として製造されている。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】